【手続補正書】
【提出日】平成17年12月27日(2005.12.27)
【手続補正１】
【補正対象書類名】明細書
【補正対象項目名】特許請求の範囲
【補正方法】変更
【補正の内容】
【特許請求の範囲】
【請求項１】  ネットワークを介して、電子入稿による印刷依頼を受け付け、管理する電子入稿管理装置であって、
前記印刷依頼に係る印刷情報を該印刷依頼に係る印刷の状態を含めて管理するための印刷情報管理テーブルを記憶する記憶手段と、
新規印刷情報を前記依頼端末から前記ネットワークを介して受信する受信手段と、
前記新規印刷情報に基づく印刷を満足する印刷予定に他の印刷の印刷予定がある場合、前記印刷情報管理テーブルを参照して、前記他の印刷に対応する既存印刷情報の状態を判定する判定手段と、
前記判定手段の判定により状態が未決済であった場合には、前記他の印刷に対応する既存印刷情報を前記新規印刷の印刷予定を示す印刷情報に変更する変更手段と
を備えることを特徴とする電子入稿管理装置。
【請求項２】  前記未決済である他の印刷に対応する既存印刷情報による印刷に対する決済を行う決済端末へ決済を促す警告情報を前記ネットワークを介して送信する送信手段とを更に備え、
前記警告情報の送信後、前記変更手段は、前記判定手段の判定結果に基づいて、前記未決済である他の印刷の既存印刷情報を前記新規印刷の印刷予定を示す印刷情報に変更する
ことを特徴とする請求項１に記載の電子入稿管理装置。
【請求項３】  前記判定手段の判定の結果、前記他の印刷に対応する既存印刷情報の状態が未決済であり、かつその状態が決められた期間以上経過している場合、前記送信手段は、前記既存印刷情報に基づく印刷に対する決済を行う決済端末へ決済を促す警告情報を前記ネットワークを介して送信する
ことを特徴とする請求項２に記載の電子入稿管理装置。
【請求項４】  前記判定手段の判定の結果、前記既存印刷情報の状態が未決済であり、かつその状態が決められた期間以上経過している場合、前記変更手段は、前記未決済である他の印刷の印刷予定を示す既存印刷情報を前記新規印刷の印刷予定を示す印刷情報に変更する
ことを特徴とする請求項１に記載の電子入稿管理装置。
【請求項５】  前記判定手段の判定の結果、前記既存印刷情報の状態が未決済であり、かつ該既存印刷情報に基づく印刷による印刷物の納期より決められた期間以内である場合、前記変更手段は、前記未決済である他の印刷の印刷予定を示す既存印刷情報を前記新規印刷の印刷予定を示す印刷情報に変更する
ことを特徴とする請求項１に記載の電子入稿管理装置。
【請求項６】  前記変更手段による変更が実行された場合、前記未決済である他の印刷の印刷予定を満足する印刷拠点を複数の印刷拠点から検索する検索手段と
を更に備えることを特徴とする請求項１乃至５のいずれか１項に記載の電子入稿管理装置。
【請求項７】  前記検索手段で前記未決済である他の印刷の印刷予定を満足する印刷拠点が検索されない場合、前記検索手段は、前記未決済の印刷の印刷予定を繰り下げた印刷予定を満足する印刷拠点を検索する
ことを特徴とする請求項６に記載の電子入稿管理装置。
【請求項８】  電子入稿による印刷依頼を行う依頼端末と、前記印刷依頼を受け付け、管理する電子入稿管理サーバと、前記印刷依頼に対する決済を行う決済端末とがネットワークを介して相互に接続されて構成される電子入稿管理システムであって、
前記依頼端末は、
前記印刷依頼に係る印刷情報を前記電子入稿管理サーバへ前記ネットワークを介して送信する印刷情報送信手段とを備え、
前記電子入稿管理サーバは、
前記印刷依頼に係る印刷情報を該印刷依頼に係る印刷の状態を含めて管理するための印刷情報管理テーブルを記憶する記憶手段と、
新規印刷情報を前記依頼端末から前記ネットワークを介して受信する受信手段と、
前記新規印刷情報に基づく印刷を満足する印刷予定に他の印刷の印刷予定がある場合、前記印刷情報管理テーブルを参照して、前記他の印刷に対応する既存印刷情報の状態を判定する判定手段と、
前記判定手段の判定により状態が未決済であった場合には、前記他の印刷の印刷予定を示す既存印刷情報を前記新規印刷の印刷予定を示す印刷情報に変更する変更手段と、
前記他の印刷に対応する既存印刷情報による印刷に対する決済を行う決済端末へ決済を促す警告情報を前記ネットワークを介して送信する送信手段と
を備え、
前記決済端末は、
前記警告情報を前記電子入稿管理サーバから前記ネットワークを介して受信する警告情報受信手段と
を備えることを特徴とする電子入稿管理システム。
【請求項９】  ネットワークを介して、電子入稿による印刷依頼を受け付け、管理する電子入稿管理装置の制御方法であって、
新規印刷情報を前記依頼端末から前記ネットワークを介して受信する受信工程と、
前記新規印刷情報に基づく印刷を満足する印刷予定に他の印刷の印刷予定がある場合、前記印刷依頼に係る印刷情報を該印刷情報に係る印刷の状態を含めて管理するための印刷情報管理テーブルを参照して、前記他の印刷に対応する既存印刷情報の状態を判定する判定工程と、
前記判定工程の判定結果により状態が未決済であった場合には、前記他印刷の印刷予定を示す印刷情報を前記新規印刷の印刷予定を示す印刷情報に変更する変更工程と
を備えることを特徴とする電子入稿管理装置の制御方法。
【請求項１０】  ネットワークを介して、電子入稿による印刷依頼を受け付け、管理する電子入稿管理装置の制御をコンピュータに実行させるためのプログラムであって、
新規印刷情報を前記依頼端末から前記ネットワークを介して受信する受信工程と、
前記新規印刷情報に基づく印刷を満足する印刷予定に他の印刷の印刷予定がある場合、前記印刷依頼に係る印刷情報を該印刷情報に係る印刷の状態を含めて管理するための印刷情報管理テーブルを参照して、前記他の印刷に対応する既存印刷情報の状態を判定する判定工程と、
前記判定工程の判定結果により状態が未決済であった場合には、前記他の印刷の印刷予定を示す印刷情報を前記新規印刷の印刷予定を示す印刷情報に変更する変更工程と
をコンピュータに実行させることを特徴とするプログラム。
【手続補正２】
【補正対象書類名】明細書
【補正対象項目名】０００６
【補正方法】変更
【補正の内容】
【０００６】
【課題を解決するための手段】
上記の目的を達成するための本発明による電子入稿管理装置は以下の構成を備える。即ち、
ネットワークを介して、電子入稿による印刷依頼を受け付け、管理する電子入稿管理装置であって、
前記印刷依頼に係る印刷情報を該印刷依頼に係る印刷の状態を含めて管理するための印刷情報管理テーブルを記憶する記憶手段と、
新規印刷情報を前記依頼端末から前記ネットワークを介して受信する受信手段と、
前記新規印刷情報に基づく印刷を満足する印刷予定に他の印刷の印刷予定がある場合、前記印刷情報管理テーブルを参照して、前記他の印刷に対応する既存印刷情報の状態を判定する判定手段と、
前記判定手段の判定により状態が未決済であった場合には、前記他の印刷に対応する既存印刷情報を前記新規印刷の印刷予定を示す印刷情報に変更する変更手段と
を備える。
【手続補正３】
【補正対象書類名】明細書
【補正対象項目名】０００７
【補正方法】変更
【補正の内容】
【０００７】
また、好ましくは、前記未決済である他の印刷に対応する既存印刷情報による印刷に対する決済を行う決済端末へ決済を促す警告情報を前記ネットワークを介して送信する送信手段とを更に備え、
前記警告情報の送信後、前記変更手段は、前記判定手段の判定結果に基づいて、前記未決済である他の印刷の既存印刷情報を前記新規印刷の印刷予定を示す印刷情報に変更する。
【手続補正４】
【補正対象書類名】明細書
【補正対象項目名】０００８
【補正方法】変更
【補正の内容】
【０００８】
また、好ましくは、前記判定手段の判定の結果、前記他の印刷に対応する既存印刷情報の状態が未決済であり、かつその状態が決められた期間以上経過している場合、前記送信手段は、前記既存印刷情報に基づく印刷に対する決済を行う決済端末へ決済を促す警告情報を前記ネットワークを介して送信する。
【手続補正５】
【補正対象書類名】明細書
【補正対象項目名】０００９
【補正方法】変更
【補正の内容】
【０００９】
また、好ましくは、前記判定手段の判定の結果、前記既存印刷情報の状態が未決済であり、かつその状態が決められた期間以上経過している場合、前記変更手段は、前記未決済である他の印刷の印刷予定を示す既存印刷情報を前記新規印刷の印刷予定を示す印刷情報に変更する。
【手続補正６】
【補正対象書類名】明細書
【補正対象項目名】００１０
【補正方法】変更
【補正の内容】
【００１０】
また、好ましくは、前記判定手段の判定の結果、前記既存印刷情報の状態が未決済であり、かつ該既存印刷情報に基づく印刷による印刷物の納期より決められた期間以内である場合、前記変更手段は、前記未決済である他の印刷の印刷予定を示す既存印刷情報を前記新規印刷の印刷予定を示す印刷情報に変更する。
【手続補正７】
【補正対象書類名】明細書
【補正対象項目名】００１１
【補正方法】変更
【補正の内容】
【００１１】
また、好ましくは、前記変更手段による変更が実行された場合、前記未決済である他の印刷の印刷予定を満足する印刷拠点を複数の印刷拠点から検索する検索手段と
を更に備える。
【手続補正８】
【補正対象書類名】明細書
【補正対象項目名】００１２
【補正方法】変更
【補正の内容】
【００１２】
また、好ましくは、前記検索手段で前記未決済である他の印刷の印刷予定を満足する印刷拠点が検索されない場合、前記検索手段は、前記未決済の印刷の印刷予定を繰り下げた印刷予定を満足する印刷拠点を検索する。
【手続補正９】
【補正対象書類名】明細書
【補正対象項目名】００１３
【補正方法】変更
【補正の内容】
【００１３】
上記の目的を達成するための本発明による電子入稿管理システムは以下の構成を備える。即ち、
電子入稿による印刷依頼を行う依頼端末と、前記印刷依頼を受け付け、管理する電子入稿管理サーバと、前記印刷依頼に対する決済を行う決済端末とがネットワークを介して相互に接続されて構成される電子入稿管理システムであって、
前記依頼端末は、
前記印刷依頼に係る印刷情報を前記電子入稿管理サーバへ前記ネットワークを介して送信する印刷情報送信手段とを備え、
前記電子入稿管理サーバは、
前記印刷依頼に係る印刷情報を該印刷依頼に係る印刷の状態を含めて管理するための印刷情報管理テーブルを記憶する記憶手段と、
新規印刷情報を前記依頼端末から前記ネットワークを介して受信する受信手段と、
前記新規印刷情報に基づく印刷を満足する印刷予定に他の印刷の印刷予定がある場合、前記印刷情報管理テーブルを参照して、前記他の印刷に対応する既存印刷情報の状態を判定する判定手段と、
前記判定手段の判定により状態が未決済であった場合には、前記他の印刷の印刷予定を示す既存印刷情報を前記新規印刷の印刷予定を示す印刷情報に変更する変更手段と、
前記他の印刷に対応する既存印刷情報による印刷に対する決済を行う決済端末へ決済を促す警告情報を前記ネットワークを介して送信する送信手段と
を備え、
前記決済端末は、
前記警告情報を前記電子入稿管理サーバから前記ネットワークを介して受信する警告情報受信手段と
を備える。
【手続補正１０】
【補正対象書類名】明細書
【補正対象項目名】００１４
【補正方法】変更
【補正の内容】
【００１４】
上記の目的を達成するための本発明による電子入稿管理装置の制御方法は以下の構成を備える。即ち、
ネットワークを介して、電子入稿による印刷依頼を受け付け、管理する電子入稿管理装置の制御方法であって、
新規印刷情報を前記依頼端末から前記ネットワークを介して受信する受信工程と、
前記新規印刷情報に基づく印刷を満足する印刷予定に他の印刷の印刷予定がある場合、前記印刷依頼に係る印刷情報を該印刷情報に係る印刷の状態を含めて管理するための印刷情報管理テーブルを参照して、前記他の印刷に対応する既存印刷情報の状態を判定する判定工程と、
前記判定工程の判定結果により状態が未決済であった場合には、前記他印刷の印刷予定を示す印刷情報を前記新規印刷の印刷予定を示す印刷情報に変更する変更工程と
を備える。
【手続補正１１】
【補正対象書類名】明細書
【補正対象項目名】００１５
【補正方法】変更
【補正の内容】
【００１５】
上記の目的を達成するための本発明によるプログラムは以下の構成を備える。即ち、
ネットワークを介して、電子入稿による印刷依頼を受け付け、管理する電子入稿管理装置の制御をコンピュータに実行させるためのプログラムであって、
新規印刷情報を前記依頼端末から前記ネットワークを介して受信する受信工程と、
前記新規印刷情報に基づく印刷を満足する印刷予定に他の印刷の印刷予定がある場合、前記印刷依頼に係る印刷情報を該印刷情報に係る印刷の状態を含めて管理するための印刷情報管理テーブルを参照して、前記他の印刷に対応する既存印刷情報の状態を判定する判定工程と、
前記判定工程の判定結果により状態が未決済であった場合には、前記他の印刷の印刷予定を示す印刷情報を前記新規印刷の印刷予定を示す印刷情報に変更する変更工程と
をコンピュータに実行させることを特徴とする。